(57)【要約】【課題】香りを放出できるという機能に対する人の興味や関心を十分に惹くことを従来に比して期待することが可能な自動販売機を得る。【解決手段】自動販売機１００は、正面パネル１０と、正面パネル１０から突出するように設けられた香料放出ユニット３０とを備える。香料放出ユニット３０は、筐体４０と、放出装置５０とを含む。放出装置５０は、筐体４０の内側に配置される本体部５３と、筐体４０の外側に配置される香料放出用ボタン５１および香料放出部５２を有する。香料放出部５２には、放出口５２Ｈが形成されており、香料放出用ボタン５１が押圧されることで、香料放出部５２の放出口５２Ｈから香料を含む気体が放出される。【選択図】図４
2018081361.tif 000002
【特許請求の範囲】
【請求項１】
正面パネルと、
前記正面パネルに設けられた商品取出口と、
前記正面パネルに設けられた複数の商品選択用ボタンと、
前記正面パネルから突出するように設けられた香料放出ユニットと、を備え、
前記香料放出ユニットは、
筐体と、
前記筐体の内側に配置される本体部と、前記筐体の外側に配置される香料放出用ボタンおよび香料放出部とを有する放出装置と、を含み、
前記香料放出部には、放出口が形成されており、
前記香料放出用ボタンが押圧されることで、前記香料放出部の前記放出口から香料を含む気体が放出される、
自動販売機。
【請求項２】
前記筐体は、
前記香料放出用ボタンが配置される正面部と、
前記香料放出部が配置され、前記正面部の上端から前記正面パネルに近づくにつれて上方に向かうように傾斜した形状を有する上面部と、を含み、
前記上面部に取り付けられた前記香料放出部は、前記放出口から放出された前記気体が前記放出口から離れるにつれて上方に向かって拡散するように、斜め上の方向に前記気体を放出する、
請求項１に記載の自動販売機。
【請求項３】
複数の前記商品選択用ボタンは、水平方向に沿って並んでおり、
前記香料放出ユニットは、複数の前記商品選択用ボタンが並んでいる位置と前記商品取出口との間に設けられている、
請求項１または２に記載の自動販売機。
【請求項４】
前記正面パネルに設けられ、広告を表示することが可能な広告表示部をさらに備え、
前記香料放出ユニットは、前記広告表示部の側方に設けられている、
請求項１から３のいずれか１項に記載の自動販売機。
【請求項５】
複数のうちのいずれか１つの前記商品選択用ボタンが押圧されることで、前記香料放出部から香料を含む前記気体が放出される、
請求項１から４のいずれか１項に記載の自動販売機。
【発明の詳細な説明】
【技術分野】
【０００１】
本発明は、自動販売機に関し、特に、香料を含む気体を放出できる自動販売機に関する。
【背景技術】
【０００２】
自動販売機は、食品、飲料、雑誌、新聞および煙草など、様々な商品を提供することができる。下記の特許文献１〜５に開示されているように、商品を提供するという機能だけでなく、香料を含む気体を放出することができるという機能を備えた自動販売機が知られている。
【０００３】
特許文献１（特開２００８−２５７２１６号公報）、特許文献２（特開平１０−３２０６２８号公報）および特許文献３（特許第５６２３６４１号公報）に開示された自動販売機は、人が自動販売機に接近したことを検知するセンサーを備えており、センサーの検知結果に応じて、香料を含む気体を自動販売機から放出している。
【０００４】
特許文献４（特開平１０−２７５２７５号公報）や特許文献５（実開平０３−０７８３８２号公報）に開示された自動販売機は、自動販売機の内部でコーヒー豆からコーヒーを生成し、生成の際に発生した香料を含む気体を自動販売機から放出している。
【先行技術文献】
【特許文献】
【０００５】
【特許文献１】特開２００８−２５７２１６号公報
【特許文献２】特開平１０−３２０６２８号公報
【特許文献３】特許第５６２３６４１号公報
【特許文献４】特開平１０−２７５２７５号公報
【特許文献５】実開平０３−０７８３８２号公報
【発明の概要】
【発明が解決しようとする課題】
【０００６】
上記の特許文献１〜５に開示された自動販売機は、香料を含む気体を放出することができるという機能を備えてはいるものの、香料を含む気体を放出できるという自動販売機の機能に対する人の興味や関心を惹くという点において改善の余地が存在している。
【０００７】
たとえば、特許文献１〜３に開示された自動販売機においては、センサーが人の接近を検知した時に、香料を含む気体が放出される。センサーの検知範囲の外を通行している人にとって、自動販売機から香りの提供を受けることができるということを認識するのは容易ではない。また、これらの文献に開示された自動販売機においては、自分の意志からではなく、センサーによって自分の存在が検知されたことをもって人が香りの提供を受けるという構成である。自分の意思とは関係なく、場合によっては自分の意思に反して人が香りの提供を受ける可能性もある。
【０００８】
上記の特許文献４，５に開示された自動販売機においては、商品の購入を既に完了し、商品の完成あるいは商品の実際の提供を待っているユーザー（商品購入者）に香りを提供するというものである。この香りは、商品の購入を完了したユーザーに、商品の提供に伴って必然的に提供されるというものである。香りの提供を受けるためには、人は商品を購入することが必須である。香りを提供できるという自動販売機の機能に対する興味や関心を、商品を購入する意思を有していない人や、商品を購入していない人に抱かせることは容易ではない。また、特許文献４，５に開示された構成も、自分の意志からではなく、商品を購入したことをもってユーザーが香りの提供を受けるという構成である。自分の意思とは関係なく、場合によっては自分の意思に反してユーザーが香りの提供を受ける可能性もある。
【０００９】
さらに、特許文献１〜５に開示された自動販売機には、香料を含む気体を放出させるための香料放出部（放出口）が設けられているが、これらの文献に開示された香料放出部は、たとえば遠目に見た場合に、香料を含む気体を放出することができるという自動販売機の機能に対する人の興味や関心を十分に惹くことが可能な外観態様を呈していない。このような観点からも、特許文献１〜５に開示された自動販売機は、香料を含む気体を放出することができるという機能を備えてはいるものの、香料を含む気体を放出できるという自動販売機の機能に対する人の興味や関心を惹くという点において改善の余地が存在している。
【００１０】
本発明は、香料を含む気体を放出することができるという機能を備え、香料を含む気体を放出できるという機能に対する人の興味や関心を十分に惹くことを従来に比して期待することが可能な自動販売機を提供することを目的とする。
【課題を解決するための手段】
【００１１】
本発明に基づく自動販売機は、正面パネルと、上記正面パネルに設けられた商品取出口と、上記正面パネルに設けられた複数の商品選択用ボタンと、上記正面パネルから突出するように設けられた香料放出ユニットと、を備え、上記香料放出ユニットは、筐体と、上記筐体の内側に配置される本体部と、上記筐体の外側に配置される香料放出用ボタンおよび香料放出部とを有する放出装置と、を含み、上記香料放出部には、放出口が形成されており、上記香料放出用ボタンが押圧されることで、上記香料放出部の上記放出口から香料を含む気体が放出される。
【００１２】
上記自動販売機において好ましくは、上記筐体は、上記香料放出用ボタンが配置される正面部と、上記香料放出部が配置され、上記正面部の上端から上記正面パネルに近づくにつれて上方に向かうように傾斜した形状を有する上面部と、を含み、上記上面部に取り付けられた上記香料放出部は、上記放出口から放出された上記気体が上記放出口から離れるにつれて上方に向かって拡散するように、斜め上の方向に上記気体を放出する。
【００１３】
上記自動販売機において好ましくは、複数の上記商品選択用ボタンは、水平方向に沿って並んでおり、上記香料放出ユニットは、複数の上記商品選択用ボタンが並んでいる位置と上記商品取出口との間に設けられている。
【００１４】
上記自動販売機において好ましくは、上記正面パネルに設けられ、広告を表示することが可能な広告表示部をさらに備え、上記香料放出ユニットは、上記広告表示部の側方に設けられている。
【００１５】
上記自動販売機において好ましくは、複数のうちのいずれか１つの上記商品選択用ボタンが押圧されることで、上記香料放出部から香料を含む上記気体が放出される。
【発明の効果】
【００１６】
上記の構成によれば、香料放出ユニットが自動販売機の正面パネルから突出するように設けられており、さらに、香料放出ユニットを構成している筐体の外側に、香料放出用ボタンおよび香料放出部が配置されているため、たとえば遠目に見た場合であっても人は香料放出ユニットの存在を容易に認識可能であり、香料を含む気体を放出できるという自動販売機の機能に対する人の興味や関心を十分に惹くことを期待できる。
【図面の簡単な説明】
【００１７】
【図１】実施の形態１における自動販売機１００を示す斜視図である。
【図２】実施の形態１における自動販売機１００に備えられる香料放出ユニット３０を示す斜視図である。
【図３】実施の形態１における自動販売機１００に備えられる香料放出ユニット３０を示す正面図である。
【図４】図３中のＩＶ−ＩＶ線に沿った矢視断面図である。
【図５】実施の形態１における自動販売機１００に備えられる香料放出ユニット３０が動作している様子を示す断面図である。
【図６】実施の形態２における自動販売機に備えられる香料放出ユニット３０Ａを示す断面図である。
【図７】実施の形態３における自動販売機に備えられる香料放出ユニット３０Ｂを示す断面図である。
【発明を実施するための形態】
【００１８】
実施の形態について、以下、図面を参照しながら説明する。同一の部品および相当部品には同一の参照番号を付し、重複する説明は繰り返さない場合がある。
【００１９】
［実施の形態１］
（自動販売機１００）
図１は、実施の形態１における自動販売機１００を示す斜視図である。図１に示すように、自動販売機１００は、正面パネル１０と側面パネル２０とを備え、全体として大きな箱状の形状を有している。
【００２０】
自動販売機１００は、冷却機能、加熱機能、保温機能、通信機能等、様々な機能を担う複数の装置を内蔵しており、内部に保管している様々な商品（典型的には飲料や食料）をユーザーからの要求に応じて提供することができる。自動販売機１００は、これらの機能を有していなくてもよく、自動販売機１００の販売対象は、雑誌、新聞および煙草などであってもよい。
【００２１】
本実施の形態においては、自動販売機１００の正面パネル１０に、商品見本展示部１１、施錠部１２、入金額表示部１３、貨幣投入部１４、返却レバー１５、紙幣投入部１６、貨幣返却部１７、広告表示部１８、商品取出口１９、および香料放出ユニット３０が設けられている。
【００２２】
商品見本展示部１１の中には、複数の商品見本１１Ａ、複数の料金表示部１１Ｂ、および、複数の商品選択用ボタン１１Ｃが設けられており、これらはいずれも水平方向に沿って並んでいる。複数の商品選択用ボタン１１Ｃの各々は、本実施の形態においては機械的な押ボタンから構成されているが、タッチ操作が可能な液晶表示装置から構成されていてもよい。商品見本１１Ａおよび／または料金表示部１１Ｂも、液晶表示装置によって実現されていてもよい。
【００２３】
正面パネル１０は、扉のように開閉可能であり、正面パネル１０のうちの施錠部１２が位置している側とは反対側の端部が軸支されている。貨幣投入部１４および返却レバー１５は、正面パネル１０の中の施錠部１２の下方に配置されている。入金額表示部１３は、返却レバー１５と水平方向において隣り合うように配置されており、紙幣投入部１６は、正面パネル１０の中の入金額表示部１３の下方に配置されている。
【００２４】
貨幣返却部１７は、正面パネル１０の中の貨幣投入部１４のはるか下方に配置されている。商品取出口１９は、水平方向において長尺状に延在する形状を有し、水平方向において貨幣返却部１７に隣り合うように配置されている。商品見本展示部１１の水平方向における幅寸法は、商品取出口１９の同方向における幅寸法と略同等である。広告表示部１８および香料放出ユニット３０は、商品見本展示部１１（複数の商品選択用ボタン１１Ｃが並んでいる位置）と商品取出口１９との間に設けられている。
【００２５】
広告表示部１８は、広告などの印刷媒体を内部に配置することができ、広告表示部１８の表面は透明なアクリルシートで覆われている。広告表示部１８の中に配置された広告は、アクリルシートなどを介してユーザーに表示される。広告表示部１８は、液晶表示装置によって実現されていてもよい。
【００２６】
香料放出ユニット３０は、広告表示部１８の側方に設けられている。本実施の形態においては、香料放出ユニット３０は、広告表示部１８と紙幣投入部１６（あるいは貨幣投入部１４など）との間に配置されている。
【００２７】
（香料放出ユニット３０）
図２および図３は、それぞれ、香料放出ユニット３０を示す斜視図および正面図である。図４は、図３中のＩＶ−ＩＶ線に沿った矢視断面図である。香料放出ユニット３０は、香料を含む気体を放出することが可能な機能を備えており、自動販売機１００の正面パネル１０から手前側（ユーザーが立つ位置の側）に向かって突出するように設けられている。具体的には、香料放出ユニット３０は、筐体４０と放出装置５０とを含む。
【００２８】
（放出装置５０）
図４を主として参照して、放出装置５０は、香料放出用ボタン５１、配線部材５１Ｃ、香料放出部５２、本体部５３および配線部材５３Ｃを有する。香料放出用ボタン５１は、配線部材５１Ｃを介して本体部５３に電気接続され、香料放出用ボタン５１が押圧されたことを示す信号は、配線部材５１Ｃを介して本体部５３に伝達される。
【００２９】
香料放出部５２は、キャップ状の形状を有しており、本体部５３の端部に設けられる。香料放出部５２には、放出口５２Ｈが形成されている。本体部５３は、配線部材５３Ｃを通して給電される。本体部５３は、自動販売機１００の電源部から給電されてもよいし、外部の商用電源から直接的に給電されても構わない。
【００３０】
詳細な図示は省略するが、本体部５３は、コンプレッサーおよびカートリッジなどを内蔵している。香料放出用ボタン５１が押圧されると、カートリッジに含まれる香料は、コンプレッサーから放出された気体（たとえば圧縮空気）と共に、香料放出部５２の放出口５２Ｈから放出される。カートリッジとしては、任意の種類の香料が充填されたものを使用できる。
【００３１】
カートリッジに充填される香料としては、商品見本展示部１１に並べられる商品と関係性を有するもの（たとえば、お茶やコーヒーなど）を使用してもよい。カートリッジに充填される香料としては、自動販売機１００が設置される場所と関係性を有するもの（たとえば、特定の植物、花の香りなど）を使用してもよい。
【００３２】
正面パネル１０には、略長方形状の形状を有する開口１０Ｈが形成されている。開口１０Ｈの内側には、枠状の形状を有するブラケット１０Ａが配置され、ブラケット１０Ａの内側に筐体４０が配置される。すなわち、放出装置５０は、筐体４０およびブラケット１０Ａを介して正面パネル１０に取り付けられる。放出装置５０の本体部５３は、筐体４０の内側に配置され、香料放出用ボタン５１および香料放出部５２は、筐体４０の外側に配置される。
【００３３】
（筐体４０）
図２および図３を主として参照して、本実施の形態の筐体４０は、正面部４１、上面部４２、側面部４３，４４、底面部４５、および天面部４６を有する。正面部４１、上面部４２、側面部４３，４４、底面部４５、および天面部４６は、いずれも平板状の形状を有し、これらの内側には中空の空間が形成される。
【００３４】
正面部４１は、筐体４０のうち、自動販売機１００の正面パネル１０から最も遠くに位置する部分（換言すると、最も手前側（ユーザーが立つ位置の側）に位置する部分）である。正面部４１は、正面パネル１０の表面１０Ｓ（図４）と略平行である。正面部４１には、貫通孔４１Ｈ（図４）が形成される。正面部４１の表面上に放出装置５０の香料放出用ボタン５１が配置され、貫通孔４１Ｈの内側に配線部材５１Ｃが挿通される。
【００３５】
上面部４２は、正面部４１の上端４１Ｅから正面パネル１０に近づくにつれて上方に向かうように傾斜した形状を有する。正面部４１の上端４１Ｅは、上面部４２の下端と共通する部位である。上面部４２には、貫通孔４２Ｈ（図４）が形成される。上面部４２の表面上に放出装置５０の香料放出部５２が配置され、貫通孔４２Ｈの内側に放出装置５０の本体部５３が挿通される。
【００３６】
側面部４３は、正面部４１の一方の側部および上面部４２の一方の側部から正面パネル１０の方に向かって延在する。側面部４４は、正面部４１の他方の側部および上面部４２の他方の側部から正面パネル１０の方に向かって延在する。側面部４３，４４は、重力方向に対して略平行であり、正面パネル１０の表面１０Ｓに対して略垂直である。
【００３７】
底面部４５は、正面部４１の下端４１Ｆから正面パネル１０の方に向かって延在する。底面部４５は、重力方向に対して略垂直であり、正面パネル１０の表面１０Ｓに対しても略垂直である。天面部４６は、上面部４２の上端４２Ｅから正面パネル１０の方に向かって延在する。天面部４６は、重力方向に対して略垂直であり、正面パネル１０の表面１０Ｓに対しても略垂直である。
【００３８】
以上のような構成を有する筐体４０は、正面パネル１０の表面１０Ｓから手前側（ユーザーが立つ位置の側）に向かって突出するように設けられている。本実施の形態においては、正面部４１および上面部４２の両方が、正面パネル１０の表面１０Ｓの位置よりも手前側（ユーザーが立つ位置の側）に位置している。
【００３９】
図５を参照して、上面部４２に取り付けられた香料放出部５２は、放出口５２Ｈから放出された気体が放出口５２Ｈから離れるにつれて上方に向かって拡散するように、斜め上の方向に気体６０を放出する。気体６０は、カートリッジに含まれる香料（微粒子）を含んでおり、香料放出用ボタン５１を押圧した人に提供されることができる。
【００４０】
（作用および効果）
冒頭で述べたように、上記の特許文献１〜３に開示された自動販売機においては、センサーが人の接近を検知した時に、香料を含む気体が放出される。センサーの検知範囲の外を通行している人にとって、自動販売機から香りの提供を受けることができるということを認識するのは容易ではない。また、自分の意志からではなく、センサーによって自分の存在が検知されたことをもって人が香りの提供を受けるため、自分の意思とは関係なく、場合によっては自分の意思に反して人が香りの提供を受ける可能性もある。
【００４１】
これに対して本実施の形態の自動販売機１００においては、香料放出用ボタン５１が押圧されることで、香料を含む気体が放出される。自分の意志をもって、自分の腕、あるいは自分の手指を伸ばして積極的に香料放出用ボタン５１を押圧した人に香りが提供されるため、自分の意思とは関係なく人が香りの提供を受ける可能性はほとんどなく、自分の意思に反して人が香りの提供を受ける可能性もほとんどない。
【００４２】
また、特許文献１〜３に開示された自動販売機においては、センサーの検知範囲の外を通行している人にとって、自動販売機から香りの提供を受けることができるということを認識するのは容易ではない。これに対して本実施の形態の自動販売機１００によれば、香料放出ユニット３０が自動販売機１００の正面パネル１０から突出するように設けられており、さらに、香料放出ユニット３０を構成している筐体４０の外側に、香料放出用ボタン５１および香料放出部５２が配置されている。香料放出ユニット３０のこのような突出形状は、香料放出ユニット３０の存在を目立たせる。たとえば遠目に見た場合であっても人は香料放出ユニット３０の存在を容易に認識可能であり、香料を含む気体を放出できるという自動販売機１００の機能に対する人の興味や関心を十分に惹くことを期待できる。
【００４３】
冒頭でも述べたように、上記の特許文献４，５に開示された自動販売機においては、商品の購入を既に完了し、商品の完成あるいは商品の実際の提供を待っているユーザー（商品購入者）に香りを提供するというものである。香りの提供を受けるためには、人は商品を購入することが必須である。これに対して本実施の形態の自動販売機１００によれば、商品を購入していない人であっても、あるいは、商品を購入する意思を有していない人であっても、香料放出用ボタン５１を押圧することで人は香りの提供を受けることができる。また、香料放出ユニット３０の突出形状は、香料放出ユニット３０の存在を目立たせる。商品を購入する意思を有していない人であっても、香料放出ユニット３０の存在に気が付きやすい。したがって、香りを提供できるという自動販売機１００の機能に対する興味や関心を、商品を購入する意思を有していない人や、商品を購入していない人にも抱かせることを期待できる。
【００４４】
香料放出ユニット３０のカートリッジに充填される香料として、自動販売機１００が設置される場所と関係性を有するもの（たとえば、自動販売機１００が設置される場所で有名な植物、花の香り、あるいは食べ物の香りなど）を使用することができる。このような場合には、自動販売機１００の所有者、あるいは自動販売機１００が設置されている場所の管理者としては、商品を自動販売機１００からより多く購入して欲しいという思いだけでなく、香料放出ユニット３０から放出される香りをできるだけ多くの人に楽しんでもらいたいという思いを寄せるものである。本実施の形態の自動販売機１００は、上記のとおり、香りを提供できるという自動販売機１００の機能に対する興味や関心を、商品の購入意思を有している人だけでなく、商品を購入する意思を有していない人や、商品を購入していない人にも抱かせることを期待でき、したがってたとえば観光業の発展にも寄与することを期待できるものである。
【００４５】
また、本実施の形態においては、上面部４２に取り付けられた香料放出部５２は、放出口５２Ｈから放出された気体が放出口５２Ｈから離れるにつれて上方に向かって拡散するように、斜め上の方向に気体６０を放出する。人が自分の腕、あるいは自分の手指を伸ばして香料放出用ボタン５１を押圧した際に、ちょうど、鼻の位置が放出口５２Ｈの近くに位置することとなり、人は、たとえば腰をさほど大きくかがめることなく、香りを受けることができる。
【００４６】
また、本実施の形態においては、香料放出ユニット３０は、商品見本展示部１１（複数の商品選択用ボタン１１Ｃが並んでいる位置）と商品取出口１９との間に設けられている。たとえば、鼻の位置を放出口５２Ｈに近づけた際に、商品見本展示部１１が目線の高さと一致しやすい。商品見本展示部１１の中に展示されている商品見本１１Ａの細部のデザインまで人の目が届きやすい。また、人が商品を商品取出口１９から取り出すために手を商品取出口１９に伸ばした際に、鼻の位置が放出口５２Ｈの近くに位置することとなり、人は放出口５２Ｈの周囲に漂う香りを受けることができる。
【００４７】
また、本実施の形態においては、広告表示部１８の右側方に香料放出ユニット３０が設けられている。人が自分の右腕、あるいは自分の右手の指を伸ばして香料放出用ボタン５１を押圧した際に、ちょうど、広告表示部１８が目に付きやすい。広告表示部１８の中に表示されている広告の細部のデザインまで人の目が届きやすくなっている。
【００４８】
［実施の形態２］
図６は、実施の形態２における自動販売機に備えられる香料放出ユニット３０Ａを示す断面図である。実施の形態１における香料放出ユニット３０と実施の形態２における香料放出ユニット３０Ａとは、筐体の構成において相違している。
【００４９】
具体的には、香料放出ユニット３０Ａを構成する筐体４０は、正面部４１（図４参照）を備えておらず、上面部４７を備えている。上面部４７は、その下端４７Ｆからその上端４７Ｅに向かうにつれて、正面パネル１０に徐々に近づくように傾斜した形状を有する。上面部４７の下端４７Ｆは、底面部４５の先端と共通する部位である。上面部４７の上端４７Ｅは、天面部４６の先端と共通する部位である。
【００５０】
上面部４７には、貫通孔４７Ｍ，４７Ｎが形成される。上面部４７の表面上に放出装置５０の香料放出用ボタン５１および香料放出部５２が配置され、貫通孔４７Ｎの内側に配線部材５１Ｃが挿通され、貫通孔４７Ｍの内側に放出装置５０の本体部５３が挿通される。香料放出ユニット３０Ａのこのような突出形状であっても、香料放出ユニット３０Ａの存在を目立たせることができる。また、上面部４７に取り付けられた香料放出部５２は、放出口５２Ｈから放出された気体が放出口５２Ｈから離れるにつれて上方に向かって拡散するように、斜め上の方向に気体６０を放出することができる。
【００５１】
［実施の形態３］
図７は、実施の形態３における自動販売機に備えられる香料放出ユニット３０Ｂを示す断面図である。実施の形態１における香料放出ユニット３０と実施の形態２における香料放出ユニット３０Ｂとは、筐体の構成において相違している。
【００５２】
具体的には、香料放出ユニット３０Ｂを構成する筐体４０は、上面部４２（図４参照）を備えておらず、正面部４８を備えている。正面部４８は、下端４８Ｆおよび上端４８Ｅを有する。正面部４８の下端４８Ｆは、底面部４５の先端と共通する部位である。正面部４８の上端４８Ｅは、天面部４６の先端と共通する部位である。香料放出ユニット３０Ｂのこのような突出形状であっても、香料放出ユニット３０Ｂの存在を目立たせることができる。
【００５３】
［他の実施の形態］
上記の各実施の形態の構成に加えて、複数のうちのいずれか１つの複数の商品選択用ボタン１１Ｃが押圧されることで、香料放出部５２（放出口５２Ｈ）から香料を含む気体が放出されるように構成してもよい。当該構成によれば、商品の購入を既に完了し、商品の完成あるいは商品の実際の提供を待っているユーザー（商品購入者）に香りを積極的に提供することが可能となる。
【００５４】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【産業上の利用可能性】
【００５５】
本発明は、食品、飲料、雑誌、新聞および煙草など、様々な商品を提供する自動販売機に利用することができる。
【符号の説明】
【００５６】
１０  正面パネル、１０Ａ  ブラケット、１０Ｈ  開口、１０Ｓ  表面、１１  商品見本展示部、１１Ａ  商品見本、１１Ｂ  料金表示部、１１Ｃ  商品選択用ボタン、１２  施錠部、１３  入金額表示部、１４  貨幣投入部、１５  返却レバー、１６  紙幣投入部、１７  貨幣返却部、１８  広告表示部、１９  商品取出口、２０  側面パネル、３０，３０Ａ，３０Ｂ  香料放出ユニット、４０  筐体、４１，４８  正面部、４１Ｅ，４２Ｅ，４７Ｅ，４８Ｅ  上端、４１Ｆ，４７Ｆ，４８Ｆ  下端、４１Ｈ，４２Ｈ，４７Ｍ，４７Ｎ  貫通孔、４２，４７  上面部、４３，４４  側面部、４５  底面部、４６  天面部、５０  放出装置、５１  香料放出用ボタン、５１Ｃ，５３Ｃ  配線部材、５２  香料放出部、５２Ｈ  放出口、５３  本体部、６０  気体、１００  自動販売機。
【図１】
2018081361.tif 000003
【図２】
2018081361.tif 000004
【図３】
2018081361.tif 000005
【図４】
2018081361.tif 000006
【図５】
2018081361.tif 000007
【図６】
2018081361.tif 000008
【図７】
2018081361.tif 000009